(57)【要約】【課題】ＴＳＩ信号を使用せず、また、独自手順信号を使用せずに、データの受信を拒否したり許容したりする制御を実行する。【解決手段】受信側において、検出部は、フェーズＣデータの最初のデータがＥＯＬであるか否か確認する。最初のデータがＥＯＬでない場合には、フェーズＣデータの先頭に画データレングスおよび送信局電話番号が付加されていると見なし、フェーズＣデータの第０データ〜第１４データを抽出する。そして、送信局電話番号と、あらかじめ記憶されている電話番号とを比較する。それらが一致した場合に、画データの受信を許容する。【選択図】図３
2007201731.tif 000002
【特許請求の範囲】
【請求項１】
自装置に割り当てられた識別情報を画データに付加したフェーズＣデータを送信する画データ送信手段と、
あらかじめ識別情報を記憶する記憶手段と、
受信したフェーズＣデータから識別情報を抽出する識別情報抽出手段と、
前記識別情報抽出手段が抽出した識別情報と前記記憶手段に記憶されている識別情報とが一致した場合に画データの受信を許容する判定手段と
を備えたことを特徴とするファクシミリ装置。
【請求項２】
自装置に割り当てられた識別情報を画データに付加したフェーズＣデータを送信する画データ送信手段と、
受信したフェーズＣデータから識別情報を抽出する識別情報抽出手段と、
前記識別情報抽出手段が抽出した識別情報を表示する表示手段と、
前記表示手段に識別情報が表示された後、中断指示が入力されたときに画データの受信を中断する中断手段と
を備えたことを特徴とするファクシミリ装置。
【請求項３】
識別情報抽出手段は、フェーズＣデータの先頭にＥＯＬが存在しない場合に、フェーズＣデータに識別情報が含まれていると判断し、フェーズＣデータにおけるあらかじめ決められている位置のデータを識別情報として抽出する
請求項１または請求項２記載のファクシミリ装置。
【請求項４】
自装置に割り当てられた識別情報を画データに付加したフェーズＣデータを送受信するファクシミリ装置における信号受信方法であって、
そこからの画データの受信を許容する装置に割り当てられている識別情報を記憶し、
受信したフェーズＣデータから識別情報を抽出し、
抽出した識別情報と記憶されている識別情報とが一致した場合に画データの受信を許容する
ことを特徴とする信号受信方法。
【請求項５】
自装置に割り当てられた識別情報を画データに付加したフェーズＣデータを送受信するファクシミリ装置における信号受信方法であって、
受信したフェーズＣデータから識別情報を抽出し、
抽出した識別情報を表示し、
識別情報を表示した後、中断指示が入力されたときに画データの受信を中断する
ことを特徴とする信号受信方法。
【請求項６】
フェーズＣデータの先頭に識別情報として自局電話番号を設定する
請求項４または請求項５記載の信号受信方法。
【発明の詳細な説明】
【技術分野】
【０００１】
本発明は、ファクシミリ装置および信号受信方法に関し、特に、画データの誤受信を防止することができるファクシミリ装置および信号受信方法に関する。
【背景技術】
【０００２】
ファクシミリ装置には、ワンタッチダイヤルボタンが設けられ、利用者は、ワンタッチダイヤルボタンを使用して送信を開始させることが多い。ワンタッチダイヤルボタンは多数設けられているので、利用者が操作を誤って、誤送信が行われる可能性がある。
【０００３】
ファクシミリ装置は、一般に、自動受信状態に設定されている。自動受信状態に設定されているときには、誤送信された文書も受信してしまう。すると、受信データをメモリに保存するように設定されている場合には、メモリ容量が無駄に消費される。また、受信データを印刷するように設定されている場合には、用紙や記録剤（トナーやインクなど）が無駄に消費される。
【０００４】
そこで、誤って送信されたデータを受信しないようにするファクシミリ装置が提案されている（例えば、特許文献１参照）。特許文献１に記載されているファクシミリ装置は、あらかじめ電話番号を記憶し、受信したＴＳＩ信号（送信端末識別信号）に含まれている送信元電話番号に一致する電話番号が記憶されていた場合に、送信されたデータを受信する。
【０００５】
【特許文献１】特開昭６４−７４８６８号公報（第３項右上欄）
【発明の開示】
【発明が解決しようとする課題】
【０００６】
しかし、ＴＳＩ信号はオプション信号であるから、ＴＳＩ信号を送信しないファクシミリ装置もある。特許文献１に記載されているファクシミリ装置は、ＴＳＩ信号を受信しなかった場合には、データの受信を拒否するか、逆に、データの受信を許容することになる。つまり、ＴＳＩ信号だけを利用してデータを受信するか否か判断する場合には、正確な判断を行うことに限界がある。
【０００７】
また、例えば特開２０００−１８４００７号公報には、通信機器識別コードとグループ識別コードとを生成して送信するファクシミリ装置が記載されている。受信側のファクシミリ装置は、あらかじめ通信機器識別コードとグループ識別コードとを記憶し、受信した通信機器識別コードとグループ識別コードとが、記憶されているコードと一致したらデータの受信を許容する。
【０００８】
しかし、そのように構成されたファクシミリ装置は、通信機器識別コードとグループ識別コードとを送受信するために、独自手順信号による送受信を行う必要がある。従って、独自手順信号による送受信を行う機能を有していない限り、データの受信を拒否したり許容したりする制御を実行できない。また、アナログ電話回線等を使用するファクシミリ通信では、手順信号は低速信号で実現される。よって、独自手順信号を追加することによって、通信全体にかかる時間が長くなるおそれがある。
【０００９】
そこで、本発明は、ＴＳＩ信号を使用せず、また、独自手順信号を使用せずに、データの受信を拒否したり許容したりする制御を実行することができるファクシミリ装置および信号受信方法を提供することを目的とする。
【課題を解決するための手段】
【００１０】
本発明によるファクシミリ装置は、自装置に割り当てられた識別情報（例えば、自局電話番号すなわち送信局電話番号）を画データに付加したフェーズＣデータを送信する画データ送信手段と、あらかじめ識別情報を記憶する記憶手段と、受信したフェーズＣデータから識別情報を抽出する識別情報抽出手段と、識別情報抽出手段が抽出した識別情報と記憶手段に記憶されている識別情報とが一致した場合に画データの受信を許容する判定手段とを備えたことを特徴とする。
【００１１】
本発明による他の態様のファクシミリ装置は、自装置に割り当てられた識別情報を画データに付加したフェーズＣデータを送信する画データ送信手段と、受信したフェーズＣデータから識別情報を抽出する識別情報抽出手段と、識別情報抽出手段が抽出した識別情報を表示する表示手段と、表示手段に識別情報が表示された後、中断指示が入力されたときに画データの受信を中断する中断手段とを備えたことを特徴とする。
【００１２】
識別情報抽出手段は、例えば、フェーズＣデータの先頭にＥＯＬが存在しない場合に、フェーズＣデータに識別情報が含まれていると判断し、フェーズＣデータにおけるあらかじめ決められている位置のデータを識別情報として抽出するように構成されていてもよい。そのような構成によれば、フェーズＣデータに識別情報が含まれているか否かをフェーズＢのファクシミリ手順信号で指定することなく、画データに識別情報を付加して送信することができる。
【発明の効果】
【００１３】
本発明によれば、フェーズＣデータに識別情報を含めるので、受信した識別情報にもとづいて画データの受信を許容するか否か判断する場合に、ファクシミリ手順信号に変更を加える必要はなく、また、識別情報がフェーズＢで送受信される信号に含まれる場合に比べて、送信局電話番号が高速で送受信される。
【発明を実施するための最良の形態】
【００１４】
以下、本発明の実施の形態を図面を参照して説明する。
【００１５】
実施の形態１．
図１は、本発明によるファクシミリ装置の第１の実施の形態の構成例を示すブロック図である。なお、図１に例示したような構成と、データの符号化（例えば、ＭＨ符号、ＭＲ符号、ＭＭＲ符号による）および復号を行う符号化復号部、記録部（印刷部）、原稿読取部、入力キー等を有する操作部、および利用者に対する情報や受信データを表示する表示部等を有するＤＴＥ（データ端末装置：Data Terminal Equipment ）とを備えたものをファクシミリ装置と定義することもできるが、図１に例示したような構成を有する装置をファクシミリ装置と定義してもよい。
【００１６】
また、図１に例示したような構成を、例えば、１つの印刷回路基板として実現したり、１つの筐体内に実現したり、ＤＴＥのカードスロットに装着可能なカードで実現したりすることができる。以下、図１に例示したような構成をファクシミリアダプタと呼ぶ。
【００１７】
図１に例示するファクシミリアダプタにおいて、ＤＴＥインタフェース部１は、ＤＴＥとデータの送受信を行うときに、所定の通信手順に従って通信を行う。制御部２は、ＤＴＥインタフェース部１を介してＤＴＥから受信したデータを変調部３に出力するとともに、復調部６から入力したデータをＤＴＥインタフェース部１を介してＤＴＥに送信する。
【００１８】
変調部３は、ファクシミリ手順信号（低速信号）のデータにより、低速信号の搬送波（キャリア）を変調する。また、変調部３は、データ（画データ）により、高速信号の搬送波を変調する。送信フィルタ４は、変調部３が変調した搬送波の周波数成分の帯域を所定範囲に収めて回線インタフェース部５に出力する。復調部６は、回線インタフェース部５および受信フィルタ７を介して受信した搬送波を復調して得られたデータを制御部２に出力する。受信フィルタ７は、回線リレー１０から入力した搬送波の不要帯域を除去する。回線インタフェース部５は、回線リレー１０からの信号を受信フィルタ７およびキャリア検出部８に出力するとともに、送信フィルタ４からの信号を回線リレー１０に出力する。キャリア検出部８は、回線リレー１０から搬送波が入力されると、その旨を示す信号を制御部２に出力する。
【００１９】
リンガ検出部９は、交換機からの呼出信号（リンガ信号）を検出すると、その旨を示す着呼検出信号を制御部２に出力する。制御部２は、着呼検出信号が入力されると、回線リレー１０を、回線と回線インタフェース部５とを接続する状態にさせる。また、ＤＴＥ側から送信開始を示す信号を受信すると、回線リレー１０を、回線と回線インタフェース部５とを接続する状態にさせる。
【００２０】
検出部１１は、復調部６が出力するデータ（高速信号に係るデータ）の先頭部分に電話番号が含まれているか否か判定する。電話番号を検出した場合には、その電話番号と、記憶部１２にあらかじめ記憶されている電話番号とを比較する。そして、検出した電話番号が、記憶部１２に記憶されている電話番号と一致した場合には、一致したことを示す一致信号を制御部２に出力する。また、一致しない場合には、一致しないことを示す不一致信号を制御部２に出力する。
【００２１】
なお、この実施の形態では、検出部１１は復調部６と制御部２との間に設けられているが、検出部１１に復調機能を持たせた場合には、検出部１１を、回線からの信号を直接入力するように設置することができる。また、この実施の形態では、受信したフェーズＣデータから識別情報を抽出する識別情報抽出手段および識別情報抽出手段が抽出した識別情報と記憶手段に記憶されている識別情報とが一致した場合に画データの受信を許容する判定手段は、検出部１１で実現されている。また、記憶部１２には、そこからの画データの受信を許容する装置に割り当てられている電話番号を記憶している。
【００２２】
図２は、一般的なファクシミリ手順信号の送受信の様子を示す説明図である。図２に示す例では、ネゴシエーション時（フェーズＢのとき）に、まず、画データの受信側からＮＳＦ信号（非標準機能識別信号）、ＣＳＩ信号（被呼端末識別信号）およびＤＩＳ信号（ディジタル識別信号）が送信される。次いで、画データの送信側からＴＳＩ信号（送信端末識別信号）およびＤＣＳ信号（ディジタル命令信号）が送信され、さらに、ＴＣＦ信号（トレーニングチェック信号：高速信号）が送信される。そして、受信側からＣＦＲ信号（受信準備確認信号）が送信される。
【００２３】
ＣＦＲ信号が送信側で受信されると、フェーズＣに入る。フェーズＣにおいて、送信側は、画データ（ＰＩＸ：高速信号）を送信する。図３は、この実施の形態で使用される画データのフォーマットの一例を示す説明図である。以下、フェーズＣにおいて送受信されるデータを、本来の画データと区別するためにフェーズＣデータという。図３に示す例では、フェーズＣデータの先頭部分に、本来の画データのサイズを示すデータである画データレングスと、送信側の電話番号を示すデータである送信局電話番号とが設定される。そして、送信局電話番号の次に、画データが設定される。なお、画データレングスは、フェーズＣデータのサイズを示すデータであってもよい。
【００２４】
また、図３に示す例では、第０データ〜第３データ（例えば、第０バイト〜第３バイト）に画データレングスが設定され、第４データ〜第１４データ（例えば、第４バイト〜第１４バイト）に電話番号が設定され、第１５データ（例えば、第１５バイト）から画データが設定される。なお、図３に示す例では、第４データには、例えば送信局電話番号が設定されることを示すデータ（例えば、オール１）が設定され、第５データから送信局電話番号が設定される。また、画データレングスはなくてもよい。また、第０データ（画データレングスがない場合には、送信局電話番号の先頭のデータ）には、オール０でないデータが設定される。また、この実施の形態では、本来の画データの先頭にはＥＯＬ（End Of Line ：例えば、０００００００００００１）が付加されるような符号化方式が用いられる。
【００２５】
次に、動作について説明する。受信側のファクシミリアダプタでは、リンガ検出部９がリンガ信号を検出すると、制御部２に、着呼検出信号を出力する。制御部２は、リンガ検出部９から着呼検出信号を入力すると、ＤＴＥインタフェース部１を介してＤＴＥに着呼があったことを通知する。すると、ＤＴＥは、ファクシミリアダプタに受信開始信号を送信する。制御部２は、ＤＴＥインタフェース部１を介して受信開始信号を受信すると、回線リレー１０を、回線と回線インタフェース部５とを接続する状態にさせる。また、フェーズＢの手順を実行する。なお、制御部２は、独自にフェーズＢの手順を実行してもよいし、フェーズＢにおける各信号を受信する度にＤＴＥに受信した信号を送信し、ＤＴＥから送信指示を受けてからフェーズＢにおける各信号を送信するようにしてもよい。
【００２６】
フェーズＢが修了すると、ＤＴＥは、画データレングス、自装置（自局）の電話番号（送信局電話番号）、および画データをファクシミリアダプタに送信する。制御部２は、それらのデータをフェーズＣデータとして、フェーズＣデータで変調された搬送波を回線に送出させる。なお、ＤＴＥが図３に例示したようなフォーマットでデータをファクシミリアダプタに送信してもよいし、ファクシミリアダプタにおける制御部２が、ＤＴＥから、自装置（自局）の電話番号、画像データの長さを示す情報、および画データを受信し、図３に例示したようなフォーマットのデータを作成するようにしてもよい。制御部２が図３に例示したようなフォーマットのデータを作成する場合には、自装置（自局）の電話番号をあらかじめファクシミリアダプタに登録しておけば、ＤＴＥから自装置（自局）の電話番号を示す情報を受信せずに済む。
【００２７】
受信側のファクシミリアダプタにおいて、記憶部１２には、あらかじめ１つ以上の電話番号が記憶される。それらの電話番号は、そこからの画データの受信を許容する装置を示す電話番号である。また、この実施の形態では、受信した電話番号にもとづいて、画データの受信を許容するか拒否するかの判定処理を実行するか否かの設定がなされているとする。
【００２８】
図４は、フェーズＣにおける受信側のファクシミリアダプタの制御部２および検出部１１の動作を示すフローチャートである。受信側のファクシミリアダプタにおいて、検出部１１は、復調部９からフェーズＣデータを入力し、最初のデータがＥＯＬであるか否か確認する（ステップＳ１１）。最初のデータがＥＯＬでない場合には、フェーズＣデータの先頭に画データレングスおよび送信局電話番号が付加されていると見なし、フェーズＣデータの第０データ〜第１４データを抽出してＲＡＭ（図１において図示せず）に一時記憶する（ステップＳ１２）。
【００２９】
そして、画データの受信を許容するか拒否するかの判定処理を実行するように設定されているか否か確認する（ステップＳ１３）。判定処理を実行しないように設定されている場合にはステップＳ１８に移行する。判定処理を実行するように設定されている場合には、記憶部１２に記憶されている電話番号のうち、受信した送信局電話番号と一致するものがあるか否か確認する（ステップＳ１４）。一致するものがあれば、ステップＳ１８に移行する。
【００３０】
一致するものがない場合には、不一致信号を制御部２に通知する。制御部２は、不一致信号が入力されると、回線リレー１０に、回線と回線インタフェース部５との接続を切断させる。すなわち、回線を切断する（ステップＳ１６）。また、制御部２は、電話番号不一致で回線を切断したことを示す信号を、ＤＴＥインタフェース部１を介してＤＴＥに送信する（ステップＳ１７）。
【００３１】
検出部１１がステップＳ１１〜Ｓ１５の処理を行っている間、制御部２にも、復調部６からフェーズＣデータが入力されている。ステップＳ１８では、検出部１１は一致信号を制御部２に出力し、制御部２は、一致信号が入力されると、復調部６から入力する画データを、ＤＴＥインタフェース部１を介してＤＴＥに送信する。
【００３２】
また、フェーズＣデータの最初のデータがＥＯＬである場合には、検出部１１は、画データの受信を許容するか拒否するかの判定処理を実行するように設定されているか否か確認する（ステップＳ１９）。判定処理を実行しないように設定されている場合にはステップＳ１８に移行する。判定処理を実行するように設定されている場合には、検出部１１は、送信局電話番号を受信しなかったことを示す信号を制御部２に通知する。通知を受けた制御部２は、回線リレー１０に、回線と回線インタフェース部５との接続を切断させる。すなわち、回線を切断する（ステップＳ２０）。また、制御部２は、電話番号不一致で回線を切断したことを示す信号を、ＤＴＥインタフェース部１を介してＤＴＥに送信する（ステップＳ２１）。
【００３３】
以上のように、この実施の形態では、送信側のファクシミリアダプタは、画データに送信局電話番号を付加して送信する。受信側のファクシミリアダプタは、受信した送信局電話番号に一致する電話番号があらかじめ記憶されていた場合には、画データの受信を許容する。また、送信局電話番号に一致する電話番号が記憶されていなかった場合、および送信局電話番号が受信されなかった場合に、回線を切断して画データの受信を拒否する。従って、不要な画データの受信機会を減らすことができる。また、送信局電話番号はフェーズＢで送受信される信号に含まれるのではなく、フェーズＣで送受信される信号に含まれる。従って、一般的なファクシミリ手順信号に変更を加える必要はない。また、送信局電話番号がフェーズＢで送受信される信号に含まれる場合に比べて、送信局電話番号が高速で送受信される。
【００３４】
なお、この実施の形態では、フェーズＣデータに送信局電話番号が含まれていない場合に回線切断するようにしたが（ステップＳ１１，Ｓ２０参照）、フェーズＣデータに送信局電話番号が含まれていない場合には、回線接続を維持するようにしてもよい。本発明を適用しないファクシミリ装置はフェーズＣデータに送信局電話番号を含めないので、回線接続を維持するようにした場合には、そのようなファクシミリ装置からの画データの受信を許容することができる。
【００３５】
実施の形態２．
図５は、本発明によるファクシミリ装置の第２の実施の形態の構成例を示すブロック図である。以下、図５に例示するような構成の装置をファクシミリアダプタという。図５に示す構成は、図１に示された構成に対して、制御部２に接続される表示手段１３が追加された構成である。表示手段１３は、ファクシミリ装置の利用者が視認可能に設置されている。表示手段１３として、例えばＬＣＤが用いられる。また、表示手段１３として、ＤＴＥの表示部を使用してもよい。なお、表示手段に識別情報が表示された後、中断指示が入力されたときに画データの受信を中断する中断手段は、制御部２で実現されている。
【００３６】
フェーズＢに関する処理は、第１の実施の形態の場合と同じである。図６は、フェーズＣにおける受信側のファクシミリアダプタの制御部２および検出部１１の動作を示すフローチャートである。受信側のファクシミリアダプタにおいて、検出部１１は、復調部９からフェーズＣデータを入力し、最初のデータがＥＯＬであるか否か確認する（ステップＳ３１）。最初のデータがＥＯＬでない場合には、フェーズＣデータの先頭に画データレングスおよび送信局電話番号が付加されていると見なし、フェーズＣデータの第０データ〜第１４データを制御部２に出力する（ステップＳ３２）。制御部２は、フェーズＣデータに含まれていた送信局電話番号を表示手段１３に表示する（ステップＳ３３）。また、制御部２は、復調部６から入力する画データを、ＤＴＥインタフェース部１を介してＤＴＥに送信する（ステップＳ３４）。
【００３７】
ファクシミリ装置の利用者は、例えば、表示手段１３に表示された送信局電話番号が、そこからの画データの受信を希望しない電話番号であると判断した場合に、例えばＤＴＥの操作部に受信拒否を示す情報を入力する。その情報は、ＤＴＥからファクシミリアダプタに送信される。制御部２は、その情報を受信すると、復調部６が画データを出力している最中に、回線リレー１０に、回線と回線インタフェース部５との接続を切断させる。すなわち、回線を切断して、画データの受信を中断させる。
【００３８】
フェーズＣデータの最初のデータがＥＯＬである場合には、検出部１１は、制御部２に、送信局電話番号を受信しなかったことを通知する。制御部２は、通知を受けると、送信局電話番号を受信しなかったことを示す情報を表示手段１３に表示する（ステップＳ３５）。そして、ステップＳ３４に移行する。
【００３９】
この実施の形態では、送信局電話番号が表示手段１３において表示されるので、利用者の判断にもとづいて回線を切断することができる。すなわち、利用者が表示手段１３の表示を見て、誤送信等がなされたと判断したときに回線を切断することができる。また、一般的なファクシミリ手順信号に変更を加える必要はなく、また、送信局電話番号がフェーズＢで送受信される信号に含まれる場合に比べて送信局電話番号が高速で送受信されるという効果が得られることは、第１の実施の形態の場合と同様である。
【００４０】
また、第２の実施の形態を第１の実施の形態と組み合わせてもよい。すなわち、第１の実施の形態において、制御部２は、受信した送信局電話番号を表示手段１３に表示し、ステップＳ１８の処理に代えて、ステップＳ３４の処理を実行するようにしてもよい。
【００４１】
なお、上記の各実施の形態では、検出部（検出手段）１１と制御部（制御手段）２とが独立して設けられているが、制御部２が、検出部１１の機能を有するように構成してもよい。
【００４２】
また、上記の各実施の形態では、送信側のファクシミリ装置を識別するための識別情報（自装置に割り当てられた識別情報）として電話番号を用いたが、ファクシミリ装置を識別可能なユニークなデータであれば、電話番号以外のデータを用いてもよい。
【産業上の利用可能性】
【００４３】
本発明は、ファクシミリ装置において画データの誤受信を防止する用途に適用でき、例えば、留守番設定されている状態での用紙や記録剤の無駄な使用を防止する用途に適用できる。
【図面の簡単な説明】
【００４４】
【図１】本発明によるファクシミリ装置の第１の実施の形態の構成例を示すブロック図である。
【図２】一般的なファクシミリ手順信号の送受信の様子を示す説明図である。
【図３】画データのフォーマットの一例を示す説明図である。
【図４】フェーズＣにおける受信側の制御部および検出部の動作を示すフローチャートである。
【図５】本発明によるファクシミリ装置の第２の実施の形態の構成例を示すブロック図である。
【図６】フェーズＣにおける受信側の制御部および検出部の動作を示すフローチャートである。
【符号の説明】
【００４５】
１  ＤＴＥインタフェース部
２  制御部
３  変調部
４  送信フィルタ
５  回線インタフェース部
６  復調部
７  受信フィルタ
８  キャリア検出部
９  リンガ検出部
１０  回線リレー
１１  検出部
１２  記憶部
１３  表示手段
【図１】
2007201731.tif 000003
【図２】
2007201731.tif 000004
【図３】
2007201731.tif 000005
【図４】
2007201731.tif 000006
【図５】
2007201731.tif 000007
【図６】
2007201731.tif 000008